(57)【要約】【目的】チャンネル選択時の利便性に優れたディジタル放送受信装置を提供する。【構成】デマルチプレクサ３によって放送局が発するディジタル放送波からチャンネルリストデータやリモコンキーＩＤが分離され、これらデータをＣＰＵ１３が取得する。前記リモコンキーＩＤが示す番号のワンタッチキーに当該放送局を受信するための周波数情報やチャンネルリストを対応させる。ユーザによってワンタッチキーが押下されると、前記チャンネルリストに基づいて一つのチャンネルを選局する。また、前記ワンタッチキーのチャンネル群と共に隣接するワンタッチキーのチャンネル群のリストを同時に表示する。ユーザによる所定キーの操作により、表示リスト上でカーソルを移動させて所望のチャンネルを選局することができる。【選択図】    図１
2004172863.tif 000002
【特許請求の範囲】
【請求項１】
グループ化されたチャンネル群を割当キーに対応付ける手段と、前記チャンネル群の選局関連情報を格納する手段と、前記割当キーが操作されたときに対応するチャンネル群のなかの一つのチャンネルの選局処理を行う手段と、を備え、前記割当キーが操作されたときに、当該割当キーに対応するチャンネル群のリストと共に当該割当キーと隣接する他の割当キーに対応するチャンネル群のリストを同時に画面に表示してユーザ操作により選択されたチャンネルについて選局処理を行うように構成されたことを特徴とするディジタル放送受信装置。
【請求項２】
請求項１に記載のディジタル放送受信装置において、ユーザ操作によって表示リスト上のカーソル位置が遷移し、当該カーソルが位置しているところのチャンネルが選局されるように構成されたことを特徴とするディジタル放送受信装置。
【請求項３】
請求項２に記載のディジタル放送受信装置において、表示リスト上のカーソル位置は方向キー及び／又はチャンネルアップ／ダウンキーの操作により遷移するように構成されたことを特徴とするディジタル放送受信装置。
【請求項４】
請求項２又は請求項３に記載のディジタル放送受信装置において、表示リスト上にチャンネル群がマトリクス状に表示され、方向キーの操作によりカーソル位置が上下左右に遷移するように構成されたことを特徴とするディジタル放送受信装置。
【請求項５】
請求項２乃至請求項４のいずれかに記載のディジタル放送受信装置において、未表示の割当キー対応チャンネル群の側にカーソル位置が遷移することとなるときには、当該未表示の割当キー対応チャンネル群を表示する一方で他の側の表示状態の割当キー対応チャンネル群を非表示とするスクロール処理を行なうように構成されたことを特徴とするディジタル放送受信装置。
【請求項６】
請求項２乃至請求項４のいずれかに記載のディジタル放送受信装置において、カーソルが位置している割当キー対応チャンネル群が常に一定の位置で表示されるように、カーソル位置の遷移時には未表示の割当キー対応チャンネル群を表示する一方で他の表示状態の割当キー対応チャンネル群を非表示とするスクロール処理を行なうように構成されたことを特徴とするディジタル放送受信装置。
【請求項７】
請求項１乃至請求項６のいずれかに記載のディジタル放送受信装置において、選局状態のチャンネルの表記部分は他のチャンネルの表記部分と区別される形式で表示されるように構成されたことを特徴とするディジタル放送受信装置。
【発明の詳細な説明】
【０００１】
【産業上の利用分野】
この発明は、ディジタル放送を受信するディジタル放送受信装置に関する。
【０００２】
【従来の技術】
衛星や地上波を用いたディジタル放送を受信するディジタル放送受信装置は、衛星アンテナや地上波アンテナを通して受け取った複数の放送波のなかから任意の放送波をディジタルチューナによって選択し、この選択した放送波に含まれる複数のチャンネルのなかから任意のチャンネルをデマルチプレクス処理によって選択し、この選択したチャンネルのディジタル信号を取り出し、これをデコードすることによって映像・音声信号を出力する。
【０００３】
ところで、このようなディジタル放送では、放送事業者ごとにキー（ワンタッチキー，プリセットキー等）を割り当て、当該割当キーを操作することでダイレクトに所望の放送事業者のチャンネルを選択できるようにすることが考えられている。これに関する従来技術としては、所定の釦に対応して割り当てられている一つの放送事業者の複数のチャンネルのなかから一つのチャンネルを選局するものがある（特許文献１参照）。
【０００４】
【特許文献１】
特開平１０−１４９４５１号公報
【０００５】
【発明が解決しようとする課題】
しかしながら、ディジタル放送では、同一の放送事業者（同一の放送局）、ネットワーク等が一つのグループとして様々な形態で複数チャンネル放送を行うことが可能であり、例えば標準画質放送、ハイビジョン放送、ラジオ放送、データ放送等を行うことができる。従って、個々のチャンネルにワンタッチキーを割り当てるとすると、キー数が膨大になり、リモコン送信機を肥大化させてしまう。また、前述の従来公報の技術のごとく、プリセットキーにて放送事業者の複数のチャンネルのなかから一つのチャンネルを選局できるとしても、他に何チャンネルあるのかなどが分かりづらい。
【０００６】
この発明は、上記の事情に鑑み、チャンネル選択時の利便性に優れたディジタル放送受信装置を提供することを目的とする。
【０００７】
【課題を解決するための手段】
この発明のディジタル放送受信装置は、上記の課題を解決するために、グループ化されたチャンネル群を割当キーに対応付ける手段と、前記チャンネル群の選局関連情報を格納する手段と、前記割当キーが操作されたときに対応するチャンネル群のなかの一つのチャンネルの選局処理を行う手段と、を備え、前記割当キーが操作されたときに、当該割当キーに対応するチャンネル群のリストと共に当該割当キーと隣接する他の割当キーに対応するチャンネル群のリストを同時に画面に表示してユーザ操作により選択されたチャンネルについて選局処理を行うように構成されたことを特徴とする。
【０００８】
上記の構成であれば、ユーザによって操作された割当キーに対応するチャンネル群と共に、当該割当キーに隣接する他の割当キーに対応するチャンネル群が同時に画面にリスト表示されることになる。例えば、ユーザが割当キー「３」を押下した場合には、割当キー「３」のチャンネル群に加え、例えば割当キー「２」及び割当キー「４」のチャンネル群が画面に同時に表示されるので、ユーザはそれらのチャンネル群のなかから所望のものを選んで選局することができ、チャンネル選択の利便性が向上する。
【０００９】
ユーザ操作によって表示リスト上のカーソル位置が遷移し、当該カーソルが位置しているところのチャンネルが選局されるように構成されていてもよい。また、表示リスト上のカーソル位置は方向キー及び／又はチャンネルアップ／ダウンキーの操作により遷移するように構成されていてもよい。また、表示リスト上にチャンネル群がマトリクス状に表示され、方向キーの操作によりカーソル位置が上下左右に遷移するように構成されていてもよい。また、未表示の割当キー対応チャンネル群の側にカーソル位置が遷移することとなるときには、当該未表示の割当キー対応チャンネル群を表示する一方で他の側の表示状態の割当キー対応チャンネル群を非表示とするスクロール処理を行なうようにしてもよい。また、カーソルが位置している割当キー対応チャンネル群が常に一定の位置で表示されるように、カーソル位置の遷移時には未表示の割当キー対応チャンネル群を表示する一方で他の表示状態の割当キー対応チャンネル群を非表示とするスクロール処理を行なうように構成されていてもよい。
【００１０】
また、選局状態のチャンネルの表記部分は他のチャンネルの表記部分と区別される形式で表示されるように構成されているのがよい。これによれば、選局チャンネルを表示リスト上で一目で確認することができる。
【００１１】
【発明の実施の形態】
以下、この発明の実施形態を図１及び図２に基づいて説明する。図１は地上ディジタル放送を受信するこの実施形態のディジタル放送受信装置３０を示したブロック図であり、図２はリスト表示画面を例示した説明図である。
【００１２】
図１において、地上波アンテナ１は屋外において所定の方向に向けて配置されており、地上ディジタル放送信号を受信する。この地上波アンテナ１は受信した信号を地上波ディジタルチューナ２に与える。
【００１３】
地上波ディジタルチューナ２は、映像・音声データを含む高周波ディジタル変調信号のうちから特定周波数の信号を取り出す。また、地上ディジタルチューナ２は、復調回路、逆インタリーブ回路、誤り訂正回路などを備え、選択したディジタル変調信号を復調してトランスポート・ストリームを出力する。
【００１４】
デマルチプレクサ（ＤＥＭＵＸ）３は、前記トランスポート・ストリームを、ＭＰＥＧ２（Ｍｏｖｉｎｇ  Ｐｉｃｔｕｒｅ  Ｅｘｐｅｒｔｓ  Ｇｒｏｕｐ２）のビデオストリーム、オーディオストリーム、及びＰＳＩ／ＳＩ（Ｐｒｏｇｒａｍ  Ｓｐｅｃｉｆｉｃ  Ｉｎｆｏｒｍａｔｉｏｎ／Ｓｅｒｖｉｃｅ  Ｉｎｆｏｒｍａｔｉｏｎ）に分離する。デマルチプレクサ３は、ビデオストリームとオーディオストリームをＡＶデコーダ４に供給し、ＰＳＩ／ＳＩに含まれる番組情報（番組名、番組開始時間、番組内容等）などをＣＰＵ１３に供給する。なお、トランスポート・ストリームには複数のチャンネルが多重化されており、このなかから任意のチャンネルを選択するための処理は、前記ＰＳＩ／ＳＩから任意のチャンネルがトランスポート・ストリーム中でどのパケットＩＤで多重化されているかといったデータを取り出すことで可能となる。また、トランスポート・ストリームの選定もＰＳＩ／ＳＩの情報に基づいて行うことができる。
【００１５】
ＡＶデコーダ４は、ビデオストリームに対してデコードを行うビデオデコーダ、及びオーディオストリームに対してデコードを行うオーディオデコーダを備える。ビデオデコーダは、入力された可変長符号を復号して量子化係数や動きベクトルを求め、逆ＤＣＴ変換や動きベクトルに基づく動き補償制御などを行う。オーディオデコーダは、入力された符号化信号を復号して音声データを生成する。デコードにより生成された映像データは映像処理回路５に出力され、音声データは音声処理回路６に出力される。
【００１６】
映像処理回路５はＡＶデコーダ４から映像データを受け取ってＤ／Ａ変換を行い、例えばコンポジット映像信号に変換する。音声処理回路６はＡＶデコーダ４から出力された音声データを受け取ってＤ／Ａ変換を行い、例えば右（Ｒ）音のアナログ信号及び左（Ｌ）音のアナログ信号を生成する。
【００１７】
映像出力回路７及び音声出力回路８は出力抵抗や増幅器等を備えて成る。ＡＶ出力端子９には、出力部（左右音声出力端子等や映像出力端子等のセット）が設けられており、この出力部には、映像／音声コード１７によって受像管１６ａ及びスピーカ１６ｂを備えるモニタ１６が接続される。
【００１８】
ＯＳＤ（オンスクリーンディスプレイ）回路１２は、ＣＰＵ１３から出力指示された文字情報や色情報に基づく映像データを加算器２０に出力する。加算器２０は前記映像データをＡＶデコーダ４から出力される受信映像データに組み込む処理を行う。上記ＯＳＤ回路１２により、メニュー画面や表示リストなどの表示が行えることになる。
【００１９】
リモコン送信機１０は、各種のキーを備えて当該放送受信装置３０に各種指令を送出するものであり、前記キーを操作すると、そのキーに対応した指令を意味する信号光（リモコン信号）が発光部から送出される。リモコン受光器１１は、前記信号光を受光し、これを電気信号に変換してＣＰＵ１３に与える。なお、この実施形態においては、リモコン送信機１０に設けた「１」乃至「１２」の数字が表記されたキー（図示せず）を割当キー（以下、ワンタッチキーという）とする。そして、ここでは一つの放送事業者が一つのトランスポートストリームで放送を行っている場合を想定し、一つのワンタッチキーには一つの放送事業者を対応させるものとする。
【００２０】
メモリ（例えば、ＲＡＭ、ＥＥＰＲＯＭ、フラッシュメモリ等）１４には、ＥＰＧ画面を表示するためのＥＰＧデータの他、チャンネル情報（周波数情報、リモコンキーＩＤに対応させたチャンネルリストや放送局名などの情報）などが格納される。
【００２１】
ＣＰＵ１３は、このディジタル放送受信装置３０における全体制御を行うものであるが、特にこの発明にかかる処理として、チャンネルサーチ処理、リモコンキーＩＤの取得処理、ワンタッチキーの割当処理、ワンタッチキー操作による選局処理等を行う。
【００２２】
（チャンネルサーチ処理）
例えば、受信装置３０の初回電源投入時、ＣＰＵ１３は自動的にチャンネルサーチを実行するようになっている。ＣＰＵ１３は、チューナ２に地上ディジタル放送が送信されるＵＨＦ帯域の最も低い周波数を選局させて有局判定を行う。有局と判断した場合には、その周波数情報、局情報（放送局系列名等）、チャンネルリストデータを抽出し、メモリ１４に記憶する。この処理を、順次周波数を上げて最も高い周波数まで続ける（例えば、１２ｃｈ乃至６１ｃｈまで）。
【００２３】
（リモコンキーＩＤの取得処理）
上述したチャンネルサーチに際し、有局の周波数において、トランスポートストリームからＰＳＩを分離し、そのなかのＮＩＴ（Ｎｅｔｗｏｒｋ  Ｉｎｆｏｒｍａｔｉｏｎ  Ｔａｂｌｅ）やＢＩＴ（Ｂｒｏａｄｃａｓｔｅｒ  Ｉｎｆｏｒｍａｔｉｏｎ  Ｔａｂｌｅ）のなかからリモコンキーＩＤ（ＴＳ番号記述子）などの情報を取得し、上述した周波数情報等と対応付けてメモリ１４に記憶する。
【００２４】
（ワンタッチキーの割当処理）
取得したリモコンキーＩＤが示す番号のワンタッチキーに当該放送局を受信するための周波数情報等を対応させる。すなわち、○○放送局がＴＳ番号記述子にリモコンキーＩＤとして「３」を付加して送信することにより、受信装置の側ではこの情報を受信してリモコンキーＩＤを取得し、リモコン送信機１０のワンタッチキー「３」に○○放送局を設定する。以降、ユーザによってリモコン送信機１０のキー「３」が押下されると、○○放送局のチャンネルが選局されるようになる。
【００２５】
（ワンタッチキー操作による初回選局処理）
上記のごとく、ユーザによってリモコン送信機１０のワンタッチキー「３」が押下されると、○○放送局のチャンネルを選局する処理を行うが、ディジタル放送では各放送局で複数のチャンネルを用意することが可能であることから、前記チャンネルリストのなかの一つのチャンネルを選択する処理を行う。ここで、各放送局は、提供しているチャンネル群のなかで代表的なチャンネルの番号を小さく（若く）する傾向にあると考えられるので、最初に選局するチャンネルをそのチャンネル群のなかの最も小さい番号のチャンネルとするようにしている。例えば、○○放送局がｃｈ１４１、ｃｈ１４２、ｃｈ１４３の３つのチャンネルを提供している場合には、ワンタッチキー「３」が押されると、ｃｈ１４１が選局されて画面に表示されることになる。
【００２６】
図２（ａ）は、上記のごとくワンタッチキー「３」が押され、ｃｈ１４１が選局された場合のリスト表示画面を例示した説明図である。このリスト表示画面は、ワンタッチキー「３」の初回操作で表示されることとしてもよいし、ワンタッチキー「３」が２回続けて操作されたときに表示されることとしてもよい。画面上部には、ＯＳＤ表示機能により、サービス情報から取得したｃｈ１４１で現在放送されている番組に関する情報や現在時刻などが表示されている。一方、画面右下には、メモリ１４から読み出した情報に基づく表示リストがＯＳＤ表示機能により表示されている。この表示リストでは、押下されたワンタッチキー「３」のチャンネル群（ｃｈ１４１、ｃｈ１４２、ｃｈ１４３）が中央に配置され、その上下にワンタッチキー「３」に隣接するワンタッチキー「２」及びワンタッチキー「４」のチャンネル群が表示されている。また、現在選局中（カーソル位置）のｃｈ１４１は太枠で囲まれており、選局されていないチャンネルと区別して表示されている。なお、カーソル位置のチャンネル表示部分を色変わりさせることとしてもよい。
【００２７】
（表示リストによる選局処理）
受信装置３０はリモコン送信機１０のキー操作の有無を検出しており、方向キーやチャンネルＵＰ／ＤＯＷＮキーの信号を検出したときには表示リスト上のカーソル位置を遷移させる。例えば、図２（ａ）に示したようにｃｈ１４１が現在選局されている状態で、右方向キー又はＵＰキーが押下された場合には、カーソル位置を右に遷移させｃｈ１４２を選局する。ユーザが右方向キー又はＵＰキーを続けて押した場合には、ｃｈ１４３、ｃｈ１５０、…のごとく、カーソル位置は遷移していくことになる。一方、ユーザが左方向キー又はＤＯＷＮキーを操作した場合には、ｃｈ１０１、ｃｈ１００、…といった順番でカーソルは逆に移動することになる。なお、カーソルの移動はワンタッチキーの番号値の大小に対応しており、かりにワンタッチキー「４」のチャンネル番号がｃｈ１４３よりも小さいｃｈ１３０であるとしても、前述のごとく右方向キー又はＵＰキーが操作されたときには、ｃｈ１３０の表記部にカーソル位置が遷移することになる。
【００２８】
また、この実施形態では、上下方向キーが押された場合には、隣接する他のワンタッチキーのチャンネルが選局されるようにしている。例えば、図２（ａ）に示したようにｃｈ１４１が現在選局されている状態で、上方向キーが押下された場合には、カーソル位置を上に遷移させｃｈ１００を選局する。同様に、下方向キーが押下された場合には、カーソル位置を下に遷移させｃｈ１５０を選局することになる。そして、この実施形態では、更に、カーソル位置の遷移に対応して表示リストのスクロールを行なうようにしている。例えば、図２（ａ）に示したようにｃｈ１４１が現在選局されている状態で、ユーザが下方向キーを押下すると、図２（ｂ）に示しているようにワンタッチキー「４」のｃｈ１５０を選局すると共に、ワンタッチキー「４」のチャンネル群（ｃｈ１５０）を中央に配置することとし、その上側にワンタッチキー「４」に隣接するワンタッチキー「３」のチャンネル群を表示し、その下側にワンタッチキー「５」のチャンネル群を表示するようにしている。
【００２９】
なお、選局状態のチャンネル群を中央に配置する（一定位置に配置する）スクロール表示に限らず、例えば、カーソルが最も上の段のチャンネル群に遷移し、更に上方向にカーソルを移動させるような操作がなされたときに、スクロール表示が行なわれるようにしてもよい。また、カーソルの移動で直ちに選局が行なわれるようにしたが、決定キーが操作されたときに、カーソルが位置しているチャンネルが選局されるようにしてもよい。この場合、選局チャンネルを表す表示を例えば色変わりとし、カーソルを表す表示を太枠とするなど、両者の表示を区別できるようにするのがよい。また、このようなカーソルによる選局に限るものではなく、ユーザが表示リスト上の所望のチャンネルの番号をリモコン送信機１０の数値キー（例えば、前記ワンタッチキーとは別に設けられた０〜９番号キーなど）により入力し、その後に決定キーを押すことで当該番号のチャンネルを選局できるようにしてもよい。また、上記例の表示リストにおいては、ワンタッチキー番号を表示することとしたが、例えば識別可能な放送局のロゴなどを表示することとしてもよい。また、上述の例では、選局されたチャンネルに隣接する前後各１つのワンタッチキーに割り当てられたチャンネル群を表示することとしたが、これに限るものではない。
【００３０】
また、ワンタッチキーの操作において最初に選局するチャンネルをそのチャンネル群のなかの最も小さい番号のチャンネルとする場合を例示したが、これに限るものではない。例えば、前述したチャンネル変更において選局チャンネルを記憶していくこととし、次回にワンタッチキー「３」が操作されたときには、前回の最後に選択されていたチャンネル（ラストチャンネル）を最初に選局するチャンネルとするようにしてもよい。
【００３１】
【発明の効果】
以上説明したように、この発明によれば、チャンネル選択時の利便性を高めることができるという効果を奏する。
【図面の簡単な説明】
【図１】この発明の実施形態のディジタル放送受信装置を示したブロック図である。
【図２】同図（ａ）及び同図（ｂ）はリスト表示画面を例示した説明図である。
【符号の説明】
１    アンテナ
２    チューナ
３    デマルチプレクサ（ＤＥＭＵＸ）
４    ＡＶデコーダ
１２  ＯＳＤ回路
１３  ＣＰＵ
１４  メモリ
【図１】
2004172863.tif 000003
【図２】
2004172863.tif 000004